(57)【要約】【課題】１つのタンクで通常の送水と前方送水とを任意に使い分けることが可能な内視鏡装置を実現する。【解決手段】内視鏡装置１は、細長な挿入部１１を有する内視鏡２と、送気送水ノズル２０と加圧式ポンプ３Ａとを連通してこの加圧式ポンプ３Ａから供給された気体が通過可能に構成した第１の送気管路と、送気管路３１から分岐して設け、加圧式ポンプ３Ａから供給された気体が通過可能に構成した第２の送気管路と、送気送水ノズル２０と一体タンク６とを連通してこの一体タンク６から送液された液体３０が通過可能に構成した第１の送液管路と、前方送水開口部２１の一体タンク６とを連通してこの一体タンク６に蓄積された液体３０が通過可能に構成した第２の送液管路とを具備して構成される。【選択図】  図２
2004242877.tif 000002
【特許請求の範囲】
【請求項１】
被検体内に挿入する細長な挿入部を有する内視鏡と、
前記内視鏡挿入部の先端部で開口する前記内視鏡に設けた第１の開口部と、
気体を供給可能に構成した第１のポンプ手段と、
前記第１の開口部と前記第１のポンプ手段とを連通してこの第１のポンプ手段から供給された気体が通過可能に構成した第１の送気管路と、
前記第１の送気管路から分岐して設け、前記第１のポンプ手段から供給された気体が通過可能に構成した第２の送気管路と、
前記第２の送気管路を介して送気された気体の圧力に応じて、蓄積された液体を送液可能に構成したタンク手段と、
前記第１の開口部と前記タンク手段とを連通してこのタンク手段から送液された液体が通過可能に構成した第１の送液管路と、
前記内視鏡挿入部の先端部で開口する前記内視鏡に設けた第２の開口部と、
前記第２の開口部と前記タンク手段とを連通してこのタンク手段に蓄積された液体が通過可能に構成した第２の送液管路と、
前記第２の送液管路に設け、前記タンク手段に蓄積された液体を前記第２の送液管路を介して前記第２の開口部へ供給させるための第２のポンプ手段と、
前記第２の送液管路において前記第２の開口部と前記タンク手段との連通を遮断可能に設けた弁手段と、
を具備したことを特徴とする内視鏡装置。
【請求項２】
前記弁手段は、前記第２のポンプ手段の駆動状態に応じて、前記第２の開口部と前記タンク手段との前記第２の送液管路の連通状態を制御することを特徴とする請求項１に記載の内視鏡装置。
【請求項３】
前記第２のポンプ手段は、前記第２の送液管路において、前記タンク手段側から前記第２の開口部側へ前記タンクに蓄積された液体の流れを形成する引圧式のポンプを有することを特徴とする請求項１に記載の内視鏡装置。
【請求項４】
前記内視鏡は、被検体内を観察するための観察窓を前記挿入部の先端部に有し、
前記第１の開口部を前記観察窓に向けて液体を送液可能に設け、
前記第２の開口部を前記観察窓を介して観察する観察方向へ向けて送液可能に設けたことを特徴とする請求項１に記載の内視鏡装置。
【請求項５】
前記弁手段は、前記第２の送液管路において、前記第２のポンプ手段を含む該第２のポンプ手段の上流側に配置されることを特徴とする請求項２に記載の内視鏡装置。
【発明の詳細な説明】
【０００１】
【発明の属する技術分野】
本発明は、送気送水が可能な内視鏡装置に関する。
【０００２】
【従来の技術】
従来より、内視鏡装置は、広く用いられている。内視鏡装置は、内視鏡の細長の挿入部を被検体に挿入することによって体腔内の被検部位を観察したり、必要に応じて処置具を処置具挿通用チャンネル内に挿通して治療処置を行うことができる。上記内視鏡装置は、光源装置から供給された照明光で照明された被検部位の反射光を内視鏡挿入部の先端部に設けた観察窓で取り込み、被検部位を観察可能に構成されている。
【０００３】
このような内視鏡装置は、上記観察窓の観察視野を確保するために、送気送水装置等と組み合わされ、観察窓を洗滌するための滅菌水や、気体を挿入部先端部の観察窓に向けて送気送水させるように構成される。
一方、内視鏡装置は、被検体の被検部位を洗滌するために、上記送気送水装置の他に、前方送水装置等と組み合わされ、内視鏡挿入部の先端部から被検部位に向けて滅菌水を送水させるように構成されたものがある。
【０００４】
このような内視鏡装置は、例えば、特開昭５８−８６１３３号公報に記載されているように、光源装置等に搭載したポンプの圧力を利用し、内視鏡内に設けた専用の送液管路を経由させ、内視鏡先端に送液するものが提案されている。
この特開昭５８−８６１３３号公報に記載の内視鏡装置は、シリンジ（針の付いていない注射器）を用いて、処置具挿通用チャンネルから前方送水を行っている。
【０００５】
また、内視鏡装置は、例えば、特開平９−１８７４１７号公報に記載されているように、送水機能同様、ポンプの圧力を利用した前方送水装置を設け、前方送水専用容器内の滅菌水を吸い上げて前方送水を行うものが提案されている。
尚、従来の内視鏡装置は、内視鏡内に処置具挿通用チャンネルとは別に設けた、専用の前方送液管路（副送液管路）を経由させる構造のものもある。
【０００６】
これら従来の内視鏡装置は、例えば、送気送水機能や前方送水機能の具体的な構造や動作の概要が以下に記載するように構成されている。
図１１ないし図１３は従来の内視鏡装置を示し、図１１は送気送水機能を備えた従来の内視鏡装置を示す概略図、図１２は前方送水機能を備えた従来の内視鏡装置を示す概略図、図１３は送気送水機能及び前方送水機能を備えた従来の内視鏡装置を示す概略図である。
【０００７】
先ず、送気送水機能を備えた従来の内視鏡装置について説明する。
図１１に示すように、送気送水機能を備えた従来の内視鏡装置１００は、光源装置内の加圧式ポンプ１０１の圧力が、送気管路１０２及び内視鏡１００Ａ内の管路を経由し、例えば送気の場合、切替部（送気送水ボタン）１０３から送気管路１００ｂを経て、直接、挿入部先端部に空気（気体）が送気される。
【０００８】
送水の場合、切替部１０３（送気送水ボタンが押される等）により送気チューブ１０７側に切り替えられ、加圧式ポンプ１０１の圧力により、送水タンク１０５内の圧力が高まり滅菌水１０６を押し出す。押し出された滅菌水１０６は、送液チューブ１０８を通り内視鏡１００Ａ内の送液管路１００ｃを経由し、内視鏡１００Ａの挿入部先端部に送水されるようになっている。
【０００９】
次に、前方送水機能を備えた従来の内視鏡装置について説明する。
図１２に示すように、前方送水機能を備えた従来の内視鏡装置１１０は、前方送水タンク１１１内の滅菌水１０６を、前方送水装置の引圧式ポンプ１１２により吸引し、前方送液チューブ１１３や前方送液管路１１４を経由して、内視鏡１１０Ａの先端から前方送水するようになっている。
【００１０】
このように、従来の内視鏡装置は、両送水機能がそれぞれ異なった構造であるため、容器側も、送水用には送水タンク１０５、前方送水用には前方送水タンク１１１と、それぞれ異なったタンクが備わっている。更に、洗滌対象エリアの大きさに伴う、各送水一回に必要となる滅菌水の量の違いから、２種類のタンクは、送水タンク１０５が２５０ｃｃ、前方送水タンク１１１が１０００ｃｃと、容量も異なっている。
従って、従来の内視鏡装置は、通常の送水と前方送水との２種類の送水を行う必要に応じて、２種類のタンクが必要であった。
【００１１】
しかしながら、内視鏡装置は、内視鏡室等のスペースも限られていることから、システムの省スペース化が強く望まれる。また、従来の内視鏡装置は、２種類のタンクを用意することや、それぞれのタンクに給水する等、セットアップも煩雑である。
【００１２】
そこで、内視鏡装置は、例えば、図１３に示すように通常の送水と前方送水との２種類の送水を行うための２種類のタンクを一体化し、タンクを１つにすることが考えられる。
図１３に示すように、内視鏡装置１３０は、一体タンク１３１内に圧力を導くための送気チューブ１０７と、押し出された水を通す送液チューブ１０８と、前方送水用の水を吸い上げる前方送液チューブ１１３の、合計３本のチューブが備わることになる。
【００１３】
【特許文献１】
特開昭５８−８６１３３号公報
【００１４】
【特許文献２】
特開平９−１８７４１７号公報
【００１５】
【発明が解決しようとする課題】
しかしながら、上記一体タンクを有する内視鏡装置１３０は、通常の送水を行うためにタンク１３１内の圧力を高めると、送液チューブ１０８のみならず、前方送液チューブ１１３からも滅菌水が噴き出し、内視鏡１３０Ａ内の送液管路１００ｃと前方送液管路１１４とで混合してしまう虞れが生じる。
【００１６】
本発明は、これらの事情に鑑みてなされたものであり、１つのタンクで通常の送水と前方送水とを任意に使い分けることが可能な内視鏡装置を提供することを目的とする。
【００１７】
【課題を解決するための手段】
本発明の請求項１は、被検体内に挿入する細長な挿入部を有する内視鏡と、前記内視鏡挿入部の先端部で開口する前記内視鏡に設けた第１の開口部と、気体を供給可能に構成した第１のポンプ手段と、前記第１の開口部と前記第１のポンプ手段とを連通してこの第１のポンプ手段から供給された気体が通過可能に構成した第１の送気管路と、前記第１の送気管路から分岐して設け、前記第１のポンプ手段から供給された気体が通過可能に構成した第２の送気管路と、前記第２の送気管路を介して送気された気体の圧力に応じて、蓄積された液体を送液可能に構成したタンク手段と、前記第１の開口部と前記タンク手段とを連通してこのタンク手段から送液された液体が通過可能に構成した第１の送液管路と、前記内視鏡挿入部の先端部で開口する前記内視鏡に設けた第２の開口部と、前記第２の開口部と前記タンク手段とを連通してこのタンク手段に蓄積された液体が通過可能に構成した第２の送液管路と、前記第２の送液管路に設け、前記タンク手段に蓄積された液体を前記第２の送液管路を介して前記第２の開口部へ供給させるための第２のポンプ手段と、前記第２の送液管路において前記第２の開口部と前記タンク手段との連通を遮断可能に設けた弁手段と、を具備したことを特徴としている。
また、本発明の請求項２は、請求項１に記載の内視鏡装置において、前記弁手段は、前記第２のポンプ手段の駆動状態に応じて、前記第２の開口部と前記タンク手段との前記第２の送液管路の連通状態を制御することを特徴としている。
また、本発明の請求項３は、請求項１に記載の内視鏡装置において、前記第２のポンプ手段は、前記第２の送液管路において、前記タンク手段側から前記第２の開口部側へ前記タンクに蓄積された液体の流れを形成する引圧式のポンプを有することを特徴としている。
また、本発明の請求項４は、請求項１に記載の内視鏡装置において、前記内視鏡は、被検体内を観察するための観察窓を前記挿入部の先端部に有し、前記第１の開口部を前記観察窓に向けて液体を送液可能に設け、前記第２の開口部を前記観察窓を介して観察する観察方向へ向けて送液可能に設けたことを特徴としている。
また、本発明の請求項５は、請求項２に記載の内視鏡装置において、前記弁手段は、前記第２の送液管路において、前記第２のポンプ手段を含む該第２のポンプ手段の上流側に配置されることを特徴としている。
この構成により、１つのタンクで通常の送水と前方送水とを任意に使い分けることが可能な内視鏡装置を実現する。
【００１８】
【発明の実施の形態】
以下、図面を参照して本発明の実施の形態を説明する。
（第１の実施の形態）
図１ないし図８は、本発明の第１の実施の形態に係り、図１は本発明の第１の実施の形態に係る内視鏡装置を示す全体構成図、図２は図１の内視鏡装置の配管経路を示すブロック図、図３は図２の送気送水スイッチの一例を示す構成図、図４はスタンバイ状態の内視鏡装置を示す説明図、図５は送気状態の内視鏡装置を示す説明図、図６は送水状態の内視鏡装置を示す説明図、図７は前方送水状態の内視鏡装置を示す説明図である。
【００１９】
図１に示すように本発明の第１の実施の形態を備えた内視鏡装置１は、細長な挿入部１１に撮像手段を内蔵した電子内視鏡（以下、単に内視鏡）２と、内視鏡２に照明光を供給する光源装置３と、内視鏡２の撮像手段から出力された出力信号に対する信号処理を行って、映像信号を出力するカメラコントロールユニット（以下、ＣＣＵ）４と、被検体の被検部位を洗滌するための前方送水装置５と、蓄積された滅菌水等の液体を送液可能に構成した一体タンク６とから主に構成されている。
【００２０】
尚、ＣＣＵ４は、モニタ７に接続され、このモニタ７に映像信号を出力して内視鏡画像を表示させるようになっている。また、前方送水装置５は、フットスイッチ８が接続され、このフットスイッチ８の操作により後述の引圧式ポンプが作動して前方送水を行うようになっている。また、本実施の形態では、光源装置３は、後述するように装置内に送気ポンプとして加圧式ポンプを設けて送気送水装置を兼ねている。
【００２１】
尚、本実施の形態では、内視鏡装置１は、内視鏡２として挿入部に撮像手段を内蔵した電子内視鏡を用いて構成しているが、本発明はこれに限定されず、図示しないが光学式内視鏡、又は、この光学式内視鏡と、この光学式内視鏡の接眼部に着脱自在に取り付けられる外付けテレビカメラとを設けて構成しても良い。
【００２２】
内視鏡２は、挿入部１１の基端側に連設され、把持部を兼ねる操作部１２が設けられている。内視鏡２は、この操作部１２に側部から延出した軟性のユニバーサルコード１３が設けられている。このユニバーサルコード１３は、後述の送気管路，送液管路及び前方送液管路や図示しないライトガイド及び信号ケーブルを内挿している。
【００２３】
このユニバーサルコード１３は、この端部にコネクタ部１４が設けられている。コネクタ部１４は、この先端に光源装置３に着脱自在に接続されるライトガイドコネクタ（以下、ＬＧコネクタ）１５と、このＬＧコネクタ１５の側部にＣＣＵ４の接続ケーブル４ａが着脱自在に接続されるビデオコネクタ１６とが設けられている。また、ＬＧコネクタ１５の側部には、接続管路１７を介して前方送水装置５が接続されている。
【００２４】
更に、コネクタ部１４の側部には、一体タンク６から延出する加圧チューブ６ａ及び送液チューブ６ｂが着脱自在に接続され、ユニバーサルコード１３内に挿通配設される後述の送気管路及び送液管路にそれぞれ接続されている。
【００２５】
また、一体タンク６から延出する前方送液チューブ６ｃは、可撓性を有する材料にて形成され、後述する弁を介して前方送水装置５に接続され、接続管路１７を介してユニバーサルコード１３内に挿通配設される後述の前方送液管路に接続されている。
【００２６】
内視鏡挿入部１１（内視鏡２の挿入部１１のこと）は、先端に設けられた硬質の先端部１１ａと、この先端部１１ａの基端側に設けられた湾曲自在の湾曲部１１ｂと、この湾曲部１１ｂの基端側に設けられた長尺で可撓性を有する可撓管部１１ｃとが連設されて構成されている。
【００２７】
内視鏡挿入部１１の先端部１１ａの端面には、後述の観察窓を洗滌するための送気送水ノズル２０と、第１の開口部としてこの送気送水ノズル２０に開口した開口部２０ａと、被検体の被検部位を洗浄するための第２の開口部としての前方送水開口部２１と、観察窓２２と、照明窓２３と、処置具用開口部２４とが設けられている。尚、観察窓２２の後方には、図示しない対物光学系が配設されている。又、図示しないが、この対物光学系の結像位置には撮像装置の撮像面（光学式内視鏡の場合、イメージガイドやリレーレンズ等の像伝達光学系の像入射端面）が配置されている。また、照明窓２３の後方には、ライトガイドの出射端面が配置されている。
【００２８】
内視鏡操作部１２（内視鏡２の操作部１２のこと）は、術者が握って把持する部位である把持部１２ａを先端側に有している。
内視鏡操作部１２は、湾曲部１１ｂを遠隔的に湾曲操作するための湾曲操作レバー２５が基端側に設けられている。また、内視鏡操作部１２の基端側には、ＣＣＵ４を遠隔操作するための複数のビデオスイッチ２６が配置されている。また、内視鏡操作部１２は、この基端側の側面に、送気操作、送水操作を操作するための送気送水スイッチ２７と、吸引操作を操作するための吸引釦２８とが設けられている。
【００２９】
更に、内視鏡操作部１２は、把持部１２ａの先端付近に生検鉗子等の処置具を挿入する処置具挿入口２９が設けられている。この処置具挿入口２９は、その内部において図示しない処置具挿通用チャンネルと連通している。処置具挿入口２９は、鉗子等の図示しない処置具を挿入することにより、内部の処置具挿通チャンネルを介して先端部１１ａの処置具用開口部２４から処置具の先端側を突出させて生検などを行うことができる。
【００３０】
内視鏡２は、挿入部１１に挿通配設される図示しないライトガイドの基端側が操作部１２を経てユニバーサルコード１３のコネクタ部１４に至り、光源装置３内に設けた光源ランプからの照明光を伝達するようになっている。ライトガイドから伝達された照明光は、照明光学系を介して挿入部先端部１１ａの照明窓２３から出射され、患部などの被写体を照明するようになっている。
照明光によって照明された被写体からの反射光は、挿入部先端部１１ａの観察窓２２から被写体像として取り込まれる。そして、取り込まれた被写体像は、対物光学系を介して図示しない撮像装置により撮像されて光電変換され、撮像信号に変換されるようになっている。
【００３１】
そして、この撮像信号は、撮像装置から延出する信号ケーブルを伝達され、操作部１２を経てユニバーサルコード１３のビデオコネクタ１６に至り、接続ケーブル４ａを介してＣＣＵ４へ出力される。そして、ＣＣＵ４は、内視鏡２からの撮像信号を信号処理して、標準的な映像信号を生成し、モニタ７に内視鏡画像を表示させるようになっている。
【００３２】
また、図２に示すように内視鏡２は、送気管路３１がコネクタ部１４から挿入部先端部１１ａの送気送水ノズル２０に開口した開口部２０ａまで内部を挿通して配設されている。この送気管路３１は、基端側が操作部１２を経てユニバーサルコード１３のコネクタ部１４に至り、光源装置３内に設けた第１のポンプ手段としての加圧式ポンプ３Ａから排出される気体をコネクタ接続口１４ａから供給するようになっている。送気管路３１から供給した気体は、送気送水ノズル２０の開口部２０ａから観察窓２２に向けて噴出することができるようになっている。
更に、この送気管路３１は、内視鏡２の内部の基端側で分岐しており、コネクタ部１４のコネクタ接続口１４ｂで一体タンク６の加圧チューブ６ａに接続されて加圧式ポンプ３Ａから送出される気体を一体タンク６の内部へ供給することができるようになっている。
【００３３】
また、内視鏡２は、コネクタ部１４のコネクタ接続口１４ｂから内部を挿通する送液管路３２が挿入部内部の途中で送気管路３１に接続し、送気送水ノズル２０に開口した開口部２０ａまで送気管路３１とその経路を併用している。
この送液管路３２は、基端側が操作部１２を経てユニバーサルコード１３のコネクタ部１４に至り、後述するように光源装置３の加圧式ポンプ３Ａで加圧されて一体タンク６から排出される液体３０を供給するようになっている。送液管路１５から供給した液体３０は、送気送水ノズル２０の開口部２０ａから観察窓２２に向けて流出されるようになっている。
【００３４】
これら送気管路３１及び送液管路３２は、操作部１２内部で送気送水スイッチ２７のスイッチ本体部２７ａを介して配設されるように構成されており、送気送水スイッチ２７の押下操作により管路の開閉が制御されるようになっている。
尚、後述するように送気管路３１は、送気送水スイッチ２７の押下操作により押圧部２７ｂが突没することで管路の開閉が行われ、送液管路３２は、スイッチ本体部２７ａ内に設けた切換部２７ｃで管路の開閉が行われる。
【００３５】
一方、内視鏡２は、前方送液管路３３がＬＧコネクタ１５から挿入部先端部１１ａに開口した前方送水開口部２１まで内部を挿通して配設されている。この前方送液管路３３は、基端側が操作部１２の内部を経てユニバーサルコード１３のＬＧコネクタ１５に至り、前方送水装置５内に設けた引圧式ポンプから送出されるタンク内の液体３０をコネクタ接続口１５ａから供給するようになっている。前方送液管路３３から供給した液体３０は、前方送水開口部２１から被検部位に向けて流出されるようになっている。
【００３６】
尚、加圧式ポンプ３Ａから送気管路３１のコネクタ接続口１４ａ及びこのコネクタ接続口１４ａから送気送水ノズル２０の開口部２０ａまでが、送気送水ノズル２０と加圧式ポンプ３Ａとを連通してこの加圧式ポンプ３Ａから供給された気体が通過可能に構成した第１の送気管路であり、送気管路３１で分岐したコネクタ接続口１４ｂまでの分岐路及び加圧チューブ６ａが、送気管路３１から分岐して設け、加圧式ポンプ３Ａから供給された気体が通過可能に構成した第２の送気管路である。
【００３７】
また、送液チューブ６ｂと送液管路３２のコネクタ接続口１４ｂから送気送水ノズル２０の開口部２０ａまでが、送気送水ノズル２０と一体タンク６とを連通してこの一体タンク６から送液された液体３０が通過可能に構成した第１の送液管路であり、前方送液チューブ６ｃと前方送液管路３３のコネクタ接続口１５ａから前方送水開口部２１までが、前方送水開口部２１の一体タンク６とを連通してこの一体タンク６に蓄積された液体３０が通過可能に構成した第２の送液管路である。
【００３８】
前方送水装置５は、フットスイッチ８の操作により第２のポンプ手段としての引圧式ポンプ５Ａが作動し、弁３４を介してタンク６からの液体３０を接続管路１７へ送出することで、内視鏡２の前方送液管路３３へ供給するようになっている。また、弁３４の開閉操作により管路の開閉が行われるようになっている。
【００３９】
また、内視鏡２は、送気送水スイッチ２７の押下操作により、このスイッチの進退動で加圧式ポンプ３Ａから排出される気体の進路が送気管路３１内で変更され、送気管路３１へ気体を供給し、又は送液管路３２へタンクからの液体３０を供給して送気或いは送水が選択的に行われるようになっている。
【００４０】
ここで、この送気送水スイッチ２７は、例えば、図３に示すように構成されている。
図３に示すように送気送水スイッチ２７は、操作部１２内に配設されたスイッチ本体部２７ａの内部空間４１に送気管路３１が接続され、上部に押圧部２７ｂが突没自在に設けられている。
【００４１】
押圧部２７ｂは、気体が外部へ抜ける管路４２が内部に形成されており、この管路４２の基端側にはこの管路４２と連通する溝部４３が形成されている。この溝部４３には、管路４２を開閉するための開閉部材４４が上下に進退可能に設けられている。
尚、押圧部２７ｂ及び開閉部材４４は、それぞれ図示しないばね等により上下に進退動するように構成されている。
【００４２】
通常、送気送水スイッチ２７は、光源装置３内の加圧式ポンプ３Ａからの気体が送気管路３１に供給された際に、押圧部２７ｂの管路４２からリークして圧力が抜けるようになっている。この状態から、送気送水スイッチ２７の管路４２を指などでふさぐことで送気管路３１に圧力がかかるようになっている。
更に、送気送水スイッチ２７が押下操作されて押圧部２７ｂが下に移動して点線で示したように底部に達した際に、送気管路３１をふさぎ、この送気管路３１を遮断するようになっている。
【００４３】
そして、送気送水スイッチ２７から指をはなすことで、ばねの付勢力により操作前の状態へ復帰するようになっている。
尚、送気送水スイッチ２７は、上述した機能を有していれば、図３で説明した構造でなくても良い。
【００４４】
また、本実施の形態では、内視鏡装置１は、前方送液チューブ６ｃに管路をふさぐための弁３４を引圧式ポンプ５Ａの上流側に配置して構成している。そして、内視鏡装置１は、通常の送気送水時には前方送液チューブ６ｃで液体３０が流れないように弁３４を閉じ、前方送水を行うときのみ、フットスイッチ８を操作して弁３４を開けるようにしている。
尚、この弁３４は、前方送水装置５の内部或いは弁装置として単独になる等して設置されている。また、この弁３４は、前方送液チューブ６ｃを外側からつぶす方式の図示しないピンチバルブや、管路間に直接電磁弁を設置する等の構成でも良い。
【００４５】
このように構成される内視鏡装置１は、図１で説明したように内視鏡２が光源装置３，ＣＣＵ４，前方送水装置５及び一体タンク６に接続されて内視鏡検査等に用いられる。
そして、術者は、内視鏡２の挿入部１１を被検体の体腔内などに挿入し、被検部位を観察する。
【００４６】
このとき、図４に示すように内視鏡２は、スタンバイ状態として送気送水スイッチ２７が開放状態である。このため、加圧式ポンプ３Ａから送出される気体（圧力）は、コネクタ部１４を介して内視鏡２内の送気管路３１に導かれ、送気送水スイッチ２７の管路から常時リークされるようになっている。
【００４７】
そして、術者は、挿入部先端部１１ａの観察窓２２表面が曇ったりした場合、この曇りを取り除くために送気送水スイッチ２７を押下操作して送気を行う。術者は、送気送水スイッチ２７の管路４２を指などでふさぐ。
そして、図５に示すように加圧式ポンプ３Ａから排出される気体（圧力）は、内視鏡２内の送気管路３１に導かれて挿入部１１内を通過し、先端部１１ａの送気送水ノズル２０の開口部２０ａから観察窓２２に向けて送気される。
【００４８】
更に、術者は、挿入部先端部１１ａの観察窓２２表面が汚れた場合、この汚れを取り除くために、送気送水スイッチ２７を押下操作して送水を行う。術者は、送気送水スイッチ２７を押下操作して押圧部２７ｂを押圧する。すると、図３で説明したように送気送水スイッチ２７は、押圧部２７ｂが下に移動して点線で示したように底部に達して送気管路３１をふさぎ、この送気管路３１を遮断する。
【００４９】
これにより、図６に示すように加圧式ポンプ３Ａから排出される気体（圧力）は、内視鏡２内の送気管路３１に導かれて分岐し、加圧チューブ６ａを介して一体タンク６内へ導かれる。そして、気体（圧力）は、一体タンク６内の空気部分を加圧し、液体３０の液面を加圧する。
【００５０】
このとき、前方送液チューブ６ｃ側に圧力がもれない、もしくは液体３０が送出されないように、弁３４は、閉じている状態となっている。従って、弁３４が閉じていることにより、一体タンク６内の液体３０は、送液チューブ６ｂのみに流れ、内視鏡２内の送液管路３２に導かれる。そして、導かれた液体３０は、送気送水スイッチ２７の切換部２７ｃを介して挿入部１１内を通過し、途中で送気管路３１に導かれて、先端部１１ａの送気送水ノズル２０の開口部２０ａから観察窓２２に向けて送水される。
【００５１】
この後、術者は、観察窓２２表面の洗滌が十分であると判断した場合、送水を停止させるために、指をはなせば、送気送水スイッチ２７は、ばねの付勢力により操作前の状態へ復帰し、スタンバイ状態である開放状態となる。
【００５２】
一方、術者は、被検体の被検部位が血液や体液等で視界不良になった場合、被検部位を洗滌するために、フットスイッチ８をオンして前方送水を行う。術者は、フットスイッチ８のペダルを踏み込みオンさせる。
すると、フットスイッチ８のオン信号により、弁３４が開くのと同時に、前方送水装置５の引圧式ポンプ５Ａが作動する。
【００５３】
そして、一体タンク６内の液体３０は、吸い上げられて前方送液チューブ６ｃに流れ、前方送水装置５から接続管路１７を介して内視鏡２内の前方送液管路３３に導かれて挿入部１１内を通過し、前方送水開口部２１から被検部位に向けて送水される。
【００５４】
この後、術者は、被検部位の洗滌が十分であると判断した場合、フットスイッチ８のペダルから足を外し送水を停止させる。
すると、フットスイッチ８のオフ信号により、前方送水装置５の引圧式ポンプ５Ａが停止すると同時に、弁３４が閉じる。そして、内視鏡装置１は、通常の状態に復帰する。
【００５５】
これにより、本実施の形態の内視鏡装置１は、前方送水装置５の始動或いは停止に合わせて弁３４を開閉させることで、一体タンク６を１つにしても、通常の送水と前方送水との両方ができる。
【００５６】
尚、本実施の形態の内視鏡装置１は、前方送水用の管路として専用の前方送液管路３３を設けた内視鏡２を用いて構成しているが、本発明はこれに限定されず、前方送水用の管路として処置具挿通用チャンネルを用いるように構成しても構わない。この場合、前方送水装置５から延出する接続管路１７は、内視鏡２の処置具挿入口２９に着脱自在に接続されて処置具挿通用チャンネルと連通し、一体タンク６から供給され液体３０が先端部１１ａの処置具用開口部２４から送水されるようになっている。
【００５７】
また、内視鏡２の挿入部先端部１１ａに送気送水ノズル２０を設け、ここに開口部２０ａを設ける構成としたが、送気送水２０を設けることなく挿入部先端部１１ａに開口部２０ａを形成しても構わない。
【００５８】
（第２の実施の形態）
図８ないし図１０は、本発明の第２の実施の形態に係り、図８は本発明の第２の実施の形態を備えた内視鏡装置の配管経路を示すブロック図、図９は図８のローラポンプの構成を示す斜視図、図１０は図９のローラポンプの動作を示す要部拡大図であり、図１０（Ａ）は通常の送気送水時におけるローラポンプの動作を示す要部拡大図、図１０（Ｂ）は前方送水時におけるローラポンプの動作を示す要部拡大図である。
【００５９】
本第２実施形態は、上記第１の実施の形態で設けた弁３４を無くし、引圧式ポンプ５Ａをローラポンプに代えて構成する。それ以外の構成は、上記第１の実施の形態で説明したのと同様な構成なので説明を省略し、同じ構成には同じ符号を付して説明する。
【００６０】
即ち、図８に示すように本発明の第２の実施の形態の内視鏡装置１Ｂは、弁３４を無くし、引圧式ポンプ５Ａをローラポンプ５０に代えた前方送水装置５Ｂを設けて構成される。
【００６１】
図９に示すように、ローラポンプ５０は、ポンプ台５１に回動自在に取り付けたローラポンプ部５２と、このローラポンプ部５２とポンプ台５１との間で半径方向に取り付けた複数のローラ部５３と、ポンプ台５１の底部から延出してローラ部５３を受けるローラ受け部５４とが設けられ、ローラ部５３とローラ受け部５４との間に前方送液チューブ６ｃを配設するように構成されている。
【００６２】
そして、ローラポンプ５０は、通常の送気送水時において、図１０（Ａ）に示すようにローラ部５３とローラ受け部５４とが前方送液チューブ６ｃを潰すことで、この管路をふさぎ遮断することができるようになっている。
このことにより、ローラポンプ５０は、通常の送気送水時において、前方送液チューブ６ｃ側への液体３０の流出を防ぎ、送液チューブ６ｂのみに液体３０を供給することができるようになっている。
【００６３】
一方、ローラポンプ５０は、前方送水時において、、図１０（Ｂ）に示すように、ローラ部５３が矢印の方向に回転して前方送液チューブ６ｃをしごくことを利用し、矢印の方向に液体３０を押して供給することができる。
このことにより、ローラポンプ５０は、前方送水時において、前方送液チューブ６ｃのみに液体３０を供給することができるようになっている。
【００６４】
尚、ローラ部３５がチューブ６ｃをしごくとき、このチューブ６ｃがずれてしまわないようなチューブ固定機構を設けると良い。この点については、省略する。
【００６５】
従って、本第２の実施の形態の内視鏡装置１Ｂは、上記第１の実施の形態と同様な効果を得る上に、改めて弁３４等の部品を設けることなく構成でき、小型化ができてコスト削減ができる。
【００６６】
尚、本発明は、上述した実施の形態に限定されるものではなく、本発明の要旨を変えない範囲において、種々の変更、改変等が可能である。
【００６７】
［付記］
（付記項１）  被検体内に挿入する細長な挿入部を有する内視鏡と、
前記内視鏡挿入部の先端部で開口する前記内視鏡に設けた第１の開口部と、
気体を供給可能に構成した第１のポンプ手段と、
前記第１の開口部と前記第１のポンプ手段とを連通してこの第１のポンプ手段から供給された気体が通過可能に構成した第１の送気管路と、
前記第１の送気管路から分岐して設け、前記第１のポンプ手段から供給された気体が通過可能に構成した第２の送気管路と、
前記第２の送気管路を介して送気された気体の圧力に応じて、蓄積された液体を送液可能に構成したタンク手段と、
前記第１の開口部と前記タンク手段とを連通してこのタンク手段から送液された液体が通過可能に構成した第１の送液管路と、
前記内視鏡挿入部の先端部で開口する前記内視鏡に設けた第２の開口部と、
前記第２の開口部と前記タンク手段とを連通してこのタンク手段に蓄積された液体が通過可能に構成した第２の送液管路と、
前記第２の送液管路に設け、前記タンク手段に蓄積された液体を前記第２の送液管路を介して前記第２の開口部へ供給させるための第２のポンプ手段と、
前記第２の送液管路において前記第２の開口部と前記タンク手段との連通を遮断可能に設けた弁手段と、
を具備したことを特徴とする内視鏡装置。
【００６８】
（付記項２）  前記弁手段は、前記第２のポンプ手段の駆動状態に応じて、前記第２の開口部と前記タンク手段との前記第２の送液管路の連通状態を制御することを特徴とする付記項１に記載の内視鏡装置。
【００６９】
（付記項３）  前記第２のポンプ手段は、前記第２の送液管路において、前記タンク手段側から前記第２の開口部側へ前記タンクに蓄積された液体の流れを形成する引圧式のポンプを有することを特徴とする付記項１に記載の内視鏡装置。
【００７０】
（付記項４）  前記内視鏡は、被検体内を観察するための観察窓を前記挿入部の先端部に有し、
前記第１の開口部を前記観察窓に向けて液体を送液可能に設け、
前記第２の開口部を前記観察窓を介して観察する観察方向へ向けて送液可能に設けたことを特徴とする付記項１に記載の内視鏡装置。
【００７１】
（付記項５）  前記弁手段は、前記第２の送液管路において、前記第２のポンプ手段を含む該第２のポンプ手段の上流側に配置されることを特徴とする付記項２に記載の内視鏡装置。
【００７２】
【発明の効果】
以上説明したように本発明によれば、１つのタンクで通常の送水と前方送水とを任意に使い分けることが可能な内視鏡装置を実現できる。
【図面の簡単な説明】
【図１】本発明の第１の実施の形態に係る内視鏡装置を示す全体構成図
【図２】図１の内視鏡装置の配管経路を示すブロック図
【図３】図２の送気送水スイッチの一例を示す構成図
【図４】スタンバイ状態の内視鏡装置を示す説明図
【図５】送気状態の内視鏡装置を示す説明図
【図６】送水状態の内視鏡装置を示す説明図
【図７】前方送水状態の内視鏡装置を示す説明図
【図８】本発明の第２の実施の形態を備えた内視鏡装置の配管経路を示すブロック図
【図９】図８のローラポンプの構成を示す斜視図
【図１０】図９のローラポンプの動作を示す要部拡大図
【図１１】送気送水機能を備えた従来の内視鏡装置を示す概略図
【図１２】前方送水機能を備えた従来の内視鏡装置を示す概略図
【図１３】送気送水機能及び前方送水機能を備えた従来の内視鏡装置を示す概略図
【符号の説明】
１…内視鏡装置
２…内視鏡
３…光源装置
３Ａ…加圧式ポンプ
４…ＣＣＵ
５…前方送水装置
５Ａ…引圧式ポンプ
６…一体タンク
６ａ…加圧チューブ
６ｂ…送液チューブ
６ｃ…前方送液チューブ
８…フットスイッチ
１１…挿入部
１１ａ…先端部
１４…コネクタ部
１７…接続管路
２０…送気送水ノズル
２１…前方送水開口部
２２…観察窓
２７…送気送水スイッチ
３０…液体
３１…送気管路
３２…送液管路
３３…前方送液管路
３４…弁
【図１】
2004242877.tif 000003
【図２】
2004242877.tif 000004
【図３】
2004242877.tif 000005
【図４】
2004242877.tif 000006
【図５】
2004242877.tif 000007
【図６】
2004242877.tif 000008
【図７】
2004242877.tif 000009
【図８】
2004242877.tif 000010
【図９】
2004242877.tif 000011
【図１０】
2004242877.tif 000012
【図１１】
2004242877.tif 000013
【図１２】
2004242877.tif 000014
【図１３】
2004242877.tif 000015